(57)【要約】      （修正有）【課題】新型感染症対策として日常的にマスクの着用が余儀なくされている現状に鑑み、マスクと顔面との距離を確保・調節可能とし、通気性に優れ、使用者の顔面形状に併せて大きさ調整が可能なマスクシートと装着フレームを提供する。【解決手段】口及び鼻を覆う前面部と、折線を介して前面部に延設された顔の側面を覆う脚部を有するマスクシート１の前面部中央に縦方向の折線２と、脚部に複数の縦方向の折線を形成し、脚部両端に装着フレームへの係止手段を設け、脚部両端に設けた係止孔の間に縦方向の折線を形成する。一部が破断線からなる、切り欠きを有する係止孔とし、装着フレームの太さ調整を行う。また、マスクシートの前面部下方、中央折線から左右に横方向の折線を形成し、内側に折り込んで顎付近を覆い、不要なときは折線から切り取り可能とする。【選択図】図７
2022003172.tif 000002
【特許請求の範囲】
【請求項１】
少なくとも口及び鼻を覆う前面部と、縦方向の側面折線を介して前面部に延設された顔の側面を覆う脚部を有するマスクシートであって、
前面部中央に縦方向の中央折線と、
脚部両端の左右対称の位置に、マスクシート装着フレームへの係止手段を有するマスクシート。
【請求項２】
係止手段が、係止孔または切り込みまたはこれらの組み合わせであって、当該係止手段の間に縦方向の係止部折線を有する請求項１記載のマスクシート。
【請求項３】
係止手段が、一部が破断線からなる、切り欠きを有する係止孔である請求項２記載のマスクシート。
【請求項４】
前面部中央折線から逆Ｖ字状に折線を形成した請求項１から３のいずれか１項に記載のマスクシート
【請求項５】
中央折線下方から左右の側面折線方向にV字状の折線を形成し、マスクシート前面部下方を顔面側に折り込むことができる、請求項１から４のいずれか１項に記載のマスクシート。
【請求項６】
マスクシートが紙製、プラスチック製、不織布製、または前記素材の組み合わせからなる、請求項１から５のいずれか１項に記載のマスクシート。
【請求項７】
マスクシートが二重の透明プラスチック製である請求項１から５のいずれか１項に記載のマスクシート。
【請求項８】
請求項１から７のいずれか１項に記載のマスクシートと、
少なくとも鼻掛けが形成されたフレーム前面部とフレーム前面部に連設されたフレーム脚部からなる装着フレームとからなる顔面保護具。
【発明の詳細な説明】
【技術分野】
【０００１】
本発明はマスクシート、より詳しくは鼻及び口を覆うマスクシートとこれを顔面に保持するマスクシート装着フレームからなる発明である。
【背景技術】
【０００２】
新型コロナなどの感染症対策としてマスクの着用が義務付けられ、日常的にマスクを着用する機会が今後も増えてくると思われる。
【０００３】
感染予防を主眼とした密着性、気密性の高いマスクの発明は既に多数存在する。冬場に密着性の高いマスクを着用することはそれほど抵抗がないが、夏季や梅雨の季節のマスク着用そのものが不快であるだけでなく熱中症を引き起こすおそれがある。
【０００４】
感染予防のためには密着性の高いマスクを着用するほうが効果的であるが、一方、マスクのいわゆる三重苦である、息苦しさ、会話のしにくさ、マスク内の蒸れなどは密着性が高ければ高いほど生じてしまう。しかしながら、これらの不快感からマスクを取り外してしまうと本末顛倒である。
【０００５】
更に、眼鏡装着者やアイシールド装着者は、マスクから漏れ出る呼気が十分排気されないために眼鏡やアイシールドが曇って視界が妨げられるといった問題に悩まされている。
【０００６】
現在のマスクの開発は、高い密着性を図りながらいかに通気性を確保するかを主な課題として行われている。
【０００７】
一方で、咳や会話などによる飛沫は主に前方方向へ飛散するため、密着性がそれほど高くなくても、他者からの飛沫感染を防止しまた、自らの飛沫の飛散を防止するためには、口や鼻の前面を緩やかに覆うだけで十分効果があると思われる。息苦しさや、暑さに我慢できずにマスクを取り外すのではなく、使用場所と状況に応じて、長時間快適な着用が可能な通気性のあるマスクと気密性の高いマスクとを使い分けるなどの新しいマスクの使用方法が求められている。
【０００８】
新型コロナウィルスをはじめとする感染症対策としてマスクの着用が日常的になると予想される現代社会においては、着用による不快感を軽減する工夫がなされたマスクが今後ますます必要になると考えられる。
【先行技術文献】
【特許文献】
【０００９】
【特許文献１】特許第５９７０１４５号公報
【特許文献２】実用新案登録第３１７０５５３号公報
【発明の概要】
【発明が解決しようとする課題】
【００１０】
ところで、顔面を保護するシートと装着フレームからなる従来技術として引用文献１の発明や引用文献２の考案がある。
【００１１】
顔面を保護する、特許文献１記載のアイシールドとフレームの発明は、アイシールドの装着を簡便にする工夫はなされているが、アイシールドを立体的に形成することや、使用者の顔の大きさや形状に併せて大きさを調整する構造とはなっていない。
【００１２】
また、顔面保護用マスクと装着フレームからなる引用文献２記載の考案は、顔面保護用マスクの着脱を容易にすることを目的としたものであって、通気性確保のための工夫はなされていない。
【００１３】
さらに、一部布マスクなどでファッショナブルな色・柄のマスクを市場で見かけるようになってきたが、プラスチック製透明シールド等、顔面全体を覆う形状のシールドは大型になりがちで使い勝手が良いとは言えず、着用への抵抗がありマスクが、身に付けるファッションアイテムの一つとしては捉えられていない現状である。
【００１４】
そこで、本願では装着時のマスクと顔面との距離を確保・調節可能とし、通気性に優れるとともに、使用者の顔面形状に併せて大きさ調整が可能なマスクシートと装着フレームを提供することを目的とする。
【００１５】
さらに、マスクシートの形状をシンプルで洗練されたものとし、マスクシートの表面への印刷を自在とし様々色・柄の展開を行ってファッショナブルなマスクシートを提供することも合わせて目的とするのである。
【課題を解決するための手段】
【００１６】
上記課題を解決するために、本願の請求項１では、少なくとも口及び鼻を覆う前面部と、側面折線を介して前面部に延設された顔の側面を覆う脚部を有するマスクシートを作成し、前面部中央に縦方向の中央折線と脚部両端の左右対称の位置に、マスクシート装着フレームへの係止手段を設けるのである。
【００１７】
請求項２では、マスクシート装着フレームへの係止手段として、脚部両端に係止孔または切り欠きを形成し、これらの係止手段の間に縦方向の係止部折線を形成するのである。
【００１８】
請求項３では、マスクシートに設ける、装着フレームへの係止手段を一部が破断線からなる、切り欠きを有する係止孔とし、装着フレームが細いときは、係止孔の切り欠き部でフレームを保持し、装着フレームが太いときは、破断線に添って係止孔を大きくして装着フレームの保持を可能とするのである。
【００１９】
請求項４では、前面部中央折線から逆Ｖ字状に折線を形成する。
【００２０】
請求項５では、マスクシートの前面部下方であって中央折線から左右の側面部折線方向に向けてV字状折線を形成し、マスクシート前面部下方を顔面側に折り込んで顎付近を覆うことができるマスクシートとするのである。
【００２１】
請求項６では、マスクシートを紙製、プラスチック製、不織布製、またはこれらの素材の組み合わせとし、請求項７では、マスクシートを二重の透明プラスチック製とし、請求項８では、本願のマスクシートと、少なくとも鼻掛けが形成されたフレーム前面部とフレーム前面部に連設されたフレーム脚部からなる装着フレームとからなる顔面保護具を提供するのである。
【発明の効果】
【００２２】
・マスクシートが少なくとも口及び鼻の前面を覆うため飛沫感染防止に効果的である。
【００２３】
・マスクシートと装着フレームはこめかみ部分の係止箇所のみで連結されているため、マスクシートと顔面との接触面積を可及的に小さくすることが可能であり、マスクシートと肌が密着せず通気性に優れる。  熱気がこもることがなく快適な着用感を有するため、
長時間の着用を可能とし特に夏の高温・多湿時に快適に使用することができる。
【００２４】
・装着フレームとマスクシートとの間に隙間が生じるため、装着フレームが眼鏡形状であっても、呼気による眼鏡レンズの曇りを防止する。
【００２５】
・マスクシートと装着フレームを着脱容易とすることで、マスクシートの使い捨てを可能とし衛生的である。
【００２６】
・マスクシートの装着フレームへの着脱が容易であり、装着フレームの脚部の細い、太いに左右されずに、マスクシートを安定して装着フレームに保持可能である。
【００２７】
・マスクシートを紙製やプラスチック製とすることで安価に製造可能である。また折線等で折り畳みでき、保管、携帯に便利である。
【００２８】
・マスクシートで口や鼻を覆い、眼鏡形状のフレームがアイシールドとなるので顔面全体を飛沫感染から防止することができる。
【００２９】
・フレームに装着したマスクシートが前後に摺動可能であるため、マスクシートと顔面との距離調整により、気密性、通気性の調整がワンタッチでできる。さらに、マスクシートを上下移動可能にフレームに装着可能できるため、マスクシートを装着したまま水分補給が可能となる。
【００３０】
・マスクシートを紙製・プラスチック製等とすることで、表面へ種々の模様、色での印刷が容易となる、例えば、遠目で見るとマスクを着用しているようにマスク模様（一般的な不織布マスクのように横方向の折ひだを印刷によって表示）をあえて印刷することも可能である。
【００３１】
マスクシートの形状をシンプルで洗練されたものにし、さらにバンダナ模様や、キャラクターなどを自在に印刷することで、マスクシートをファッションアイテムの一つとしてより使い勝手のよいものにする。
【００３２】
・マスクシートが肌に密着していないため、圧迫感がない一方で、マスクシートの位置ずれが生じにくい。
【００３３】
・顎部を顔面側に折線に沿って折り込む事により、マスクシートの下方で顎を覆い、口部周りの保護が万全となる。
【００３４】
・マスクシートを透明（有色または無色）プラスチック製とすることで口の動きや表情が確認できるため会話がスムーズになる。特に聴覚障害者の助けとなる。またマスクシートを二重の透明プラスチック製シートで構成し、間に印刷物を挟み込むことができる構造とすることで広告媒体やノベルティグッズとして活用し、更に印刷物を差し替え交換することで、マスクシートの着せ替えを楽しむことができる。
【００３５】
・前面部中央折線から逆V字状に設けた折線により、マスクシートをより立体的に組み立てることができる。この逆Ｖ字状折線の長さによってマスクシートの中央部の突出高さの調整が可能となり、鼻の高い欧米人の着用にも対応できる。
【図面の簡単な説明】
【００３６】
【図１】マスクシート１の展開平面図。
【図２】顎部に破断線を設けたマスクシート７の展開平面図。
【図３】マスクシート脚部に設けた係止孔の説明図。
【図４】同、係止孔の他の実施形態を示す説明図。
【図５】装着フレーム１６の斜視図。
【図６】装着フレームの他の実施形態を示す斜視図。
【図７】装着フレーム２４にマスクシート１を装着した状態を示す説明図。
【図８】ａ  装着フレームにマスクシートを装着した状態を示す斜視図。        ｂ  マスクシートを前方へずらした状態を示す斜視図。
【図９】装着フレームとマスクシートを折り畳んだ状態を示す説明図。
【図１０】装着フレームの係止手段がスリットからなるマスクシート２５の展開平面図。
【図１１】マスクシートを頭の上に上げて係止することができるマスクシート２８の展開平面図。
【図１２】マスクシート２８の中央折線を突出させた状態を示す説明図。
【図１３】装着フレームの係止手段がスリットと貫通孔であるマスクシート３５の展開平面図。
【図１４】二重の透明フィルムからなるマスクシートの展開平面図。
【発明を実施するための形態】
【００３７】
以下、本発明の最適な実施形態について図面を参照しながら詳説する。
【００３８】
図１が請求項１記載のマスクシート１の展開平面図である。マスクシート１は、ブーメラン形状の硬質紙製であって、少なくとも鼻及び口を覆う、前面部１ａと複数の側面折線３を介して前面部１ａに延設された左右対称の脚部１ｂ―１ｂを有する。
【００３９】
側面折線３を縦方向に複数形成することで、側面折線を山折り、谷折りして顔の大きさや形状に併せてマスクシート１の長さ調整を行う。この実施形態では側面折線の数を３本としているが、側面折線の間隔を細かくしたり、本数を増やしたりすることで更に微妙な大きさ調整を可能とし、マスクシートを顔面に合わせた所望サイズに変更することができる。
【００４０】
前面部１ａは略長方形状であるが、上端部１Cを円弧状とすることで眼鏡に装着したときに、眼鏡フレームの下方周縁部に沿って眼鏡フレームとマスクシートとの間隙が狭くなり、対面方向、すなわち前方からの飛沫の飛来を可及的に防げるのである。
【００４１】
前面部１aの中央には縦方向に中央折線２を形成し、これを山折りして前方へ突き出すことで、マスクシート１を鼻梁に沿わせた立体構造とすることができる。また、中央折線２等でコンパクトに折り畳むと保管・携帯に便利である。
【００４２】
脚部１ｂには係止部折線４を介して左右対称に２箇所の貫通孔５、６を形成する。係止部折線４を谷折りにした後、貫通孔５、６に装着フレームを挿通させてマスクシート１を装着フレームに係止するのである。このとき貫通孔５、６の水平方向の位置を少しずらして形成すると装着フレームの脚部の動きが抑制され、マスクシートが装着フレームに安定保持される。
【００４３】
マスクシート１の素材は硬質紙製、通気性を有するが細菌等の侵入を防ぐ多層構造の不織布、弾性を有する、透明プラスチックフィルム（透明、有色透明）などが考えられる。その他、シート状に製造できる素材であればこれらの素材に限定されず、布製、ダンボール製等多様な素材への変更が可能である。
【００４４】
透明プラスチックフィルムからなるマスクシートは、口元や表情が視認できるためスムーズなコミュニケーションを図ることができる。読唇によってコミュニケーションを図っ
ていた聴覚障害者の方にとって特に好適である。
【００４５】
不織布製の場合は、口及び鼻を覆う前面部を不織布製とし、脚部はその他の素材から製造するなど、マスクシートの素材は単一に限るものではなく、複数の素材の組み合わせで構成することもできる。
【００４６】
更に、マスクシートへは、抗菌加工や紫外線遮断のための偏光処理、外側に防水加工等公知の加工を施して付加価値を高めることもできる。
【００４７】
図２のマスクシート７では前面部７ａの中央折線８の下端を逆V字状に切り欠くか、逆V字状折線９を形成し、中央折線８から左右斜め上方向に顎部折線１０を形成する。
【００４８】
顎部折線１０を顔面側に折り込むことで、マスクシート７と顎付近の通気性を調整することができるのである。更に、中央折線下方８ａと顎部折線１０を破断線とすることで不要な場合はマスクシート下部を切り離してマスクシート前面部をコンパクトに形成することもできる。
【００４９】
マスクシートの装着フレームへの係止部となる２つの貫通孔の形成位置をずらすことで装着フレームに確実に係止させることができる一方で、貫通孔内をスライドさせてマスクシートの装着位置の前後方向への調整が容易となる。
【００５０】
満員電車等マスクの気密性を図りたいときは、マスクシートをできるだけ顔面に近づけ、息苦しくなってきたときは前方へずらすことで通気性を確保することができるのである。
【００５１】
係止部となる孔の形状は貫通孔の他、図３に示すように、一部を切り欠いて切り欠き部１１を設け、挿通孔１２の一部を破断線することで、装着フレームの脚部が細いときは、切り欠き部１１で装着フレームを保持し、装着フレームの脚部が太いときは、破断線を切り破って挿通孔１２の大きさを広げて装着フレームを保持することができるのである。
【００５２】
また、貫通孔内に切り欠き部１４と舌片１５を交互に設けた菊穴状貫通孔１３とすることで、フレームの太さに関わらず、マスクシートを確実に保持することが可能となる。
【００５３】
また、マスクシートの係止部の形状は、フレームへの装着、保持が可能であれば、貫通孔に限定されるものではなく、マスクシートに係止片を設けるなどの種々の係止手段の応用が可能である。
【００５４】
装着フレームの脚部のあらゆる太さに対応させる係止手段としては、図１０に示すようにマスクシート２５の脚部に円弧を縦方向に連ねた形状のスリット２６、２７を設けるなどの応用が可能である。スリットの形状や数は図示したものに限定されることなく種々変更することができる。
【００５５】
また、装着フレームは鼻かけ部と耳に掛ける脚部を有する形状であればよく、一般的には眼鏡形状が考えられる。もちろん、手持ちの眼鏡にマスクシートを装着してもかまわない。
【００５６】
また、顔の前面に位置する、鼻かけ部１９を有する、装着フレーム前面部１７と装着フレームの前面部の両端に連結された脚部１８からなるコ字型フレーム１６や、鼻掛け部２０を有する、一般的な眼鏡フレーム前面部の下側フレームのみからなる、前面部２１に脚部２２を連結した装着フレーム２３などの応用が可能である。当該装着フレーム２３にマ
スクシートを装着すると、前方から見たときはマスクシートだけが視認され、シンプルでスッキリとした印象のマスクシートとなる。
【００５７】
マスクシート装着フレームとなる、眼鏡２４に本願のマスクシート１を装着した状態を示す説明図が、図７である。図７を参照しながら、マスクシート１の装着方法について説明する。
【００５８】
図１に示した展開状態のマスクシート１を中央折線２を前方へ突き出すように山折りにし、顔の側面を覆う脚部を側面折線３に沿って略９０度に折る。このとき顔の幅や眼鏡フレームに合わせて側面折線を山折・谷折りの蛇腹状に形成すると、マスクシートの前面部の幅の調節や脚部の長さの調節が可能となる。続いて、眼鏡２４の脚部先端をマスクシート１の内側から貫通孔５に挿通し、続いて外側から貫通孔６に連通させる。このとき、２つの連通孔の間に縦方向に形成された係止部折線４を谷折りにする。眼鏡２４の他の脚部先端も同様に貫通孔５、６に挿通するのである。
【００５９】
マスクシート１を装着した眼鏡２４を掛けると、マスクシート１の係止部折線４だけが顔側面（こめかみ付近）に接触することになり、眼鏡２４とマスクシート１の間や、マスクシート１と顔面との間に十分な隙間が生じ、通気性を確保できるのである。
【００６０】
一方、それでもマスクシート内に呼気がこもってきたときは、マスクシート１を前方へスライドさせると、眼鏡２４とマスクシート１間及び、顔面とマスクシート１との間の隙間をさらに広げることができるのである。その状態を示したものが図８のａ、ｂである。
【００６１】
図８ａの装着状態から、貫通孔内で保持した、眼鏡の脚部をスライドさせることで、マスクシートを前方へずらすことができ、図８ｂのように眼鏡とマスクシートの間、すなわち、顔面とマスクシートとの間に十分な隙間を作ってマスクシート内の熱気を一気に排気し、通気性を確保することができるのである。
【００６２】
また、眼鏡に装着した状態であっても側面部折線で折り畳むことで眼鏡とともにマスクシートも小さく折り畳むことができ、保管、携帯に便利である（図９）。
【００６３】
マスクシートを透明プラスチックシートで作成するときも紙製マスクシートとほぼ同様の構成となる。一方、不織布でマスクシートを作成した場合は、鼻梁の形状に合わせてマスクシートを立体的に保持できるように鼻梁当接部に可撓性を有する素材からなる、硬質の形状保持部材（針金、ボーン等）を装着しておくことが好ましい
マスクシートはトムソン型打ち抜き器等で大量に製造することが容易で、装着フレームも合成樹脂の一体成型により低コストでの製造が可能である。
【００６４】
マスクシートと装着フレームの係止手段は、貫通孔への装着フレーム脚部の挿通だけでなく、装着フレーム脚部の外側に設けたヒンジ軸と、マスクシートの係止孔を嵌合させるなどの手段が考えられる。ヒンジ軸を支点としてマスクシートが起倒自在となり、マスクシートを頭部方向へ上げて、水分補給等が可能となるのである（図示せず）。
【００６５】
また、図１１に示すマスクシート２８は、装着フレームに係止したまま、頭の上に一時的にマスクシートを上げておくことができる構造を有する。マスクシート前面部２８ａとマスクシート脚部２８ｂからなる、マスクシート２８は、マスクシート脚部２８ｂに装着フレームを係止する貫通孔２９、３０が設けられていることに加えて、貫通孔３０の斜め下方に装着フレーム保持片３１が形成されている。保持片３１は一部を残して破断線からなり、破断線に沿ってマスクシート内側に折り込む。マスクシート２８を一時的に上方で保持するときは、装着フレームの脚部先端（図示せず）を貫通孔２９へ内側から外側へと
挿通させ、マスクシート２８を装着フレーム上に移動させた後、マスクシート内側に突出した保持片３１を装着フレームに係止させてマスクシート２８を保持するのである。保持片３１によるマスクシート２８の係止を解除するとマスクシート２８はもとの位置、すなわち顔の正面に戻る。
【００６６】
マスクシートの上下方向の移動を可能にすることで、マスクシートを着用したまま水分補給を可能とし、保持片によりマスクシートを額付近で保持することでマスクシートをサンバイザーのように使用することもできる。
【００６７】
装着フレームの係止手段の他の実施形態として図１３ではマスクシート３５の脚部に円弧状のスリット３６を複数設ける。最初に装着フレーム端部を挿通させるスリットを選択し、係止孔３７へ装着フレーム端部を挿通させると、係止孔３７を支軸として装着フレームの係止角度を変えることができ、所望の角度でマスクシート３５を装着フレームに保持することができるのである。
【００６８】
また、図１１でマスクシート２８の前面部２８ａに設けた中央折線３２の下方に逆Ｖ字上の折線３３−３３を形成する。中央折線３２を山折り、中央折線３２の下端部３２ｂを谷折り、更に逆Ｖ字状折線３３−３３を山折りにすることで、中央折線３２をより立体的かつ安定的に突出させることができるのである。
【００６９】
更に、逆Ｖ字状の折線長さや角度を変更することで、マスクシートの中央部の突出状態を調整することができる。図１１に示した逆Ｖ字状折線３４のように長く形成するとより立体感が増すのである（図１２参照）。
【００７０】
当該逆Ｖ字状折線を複数形成することで、使用者の鼻の高さや、好みに合わせてマスクシートの前方方向への突出状態を調整することができる。これにより、特に欧米人等鼻の高い使用者は、圧迫感なく本願のマスクシートを使用できるのである。
【００７１】
更に無色透明あるいは有色透明のプラスチックフィルムの二重構造からなるマスクシートを作成すると（図１４参照）プラスチックフィルムの間に、印刷物を挟み込むことができる。図１４は透明プラスチックフィルムの二重構造からなるマスクシートの展開平面図である。
【００７２】
二重構造のマスクシートの間に、スポーツ観戦等で応援するチームのチームカラーを基調とした印刷物やロゴを入れた印刷物を挟み込んだり、好みの柄や模様の印刷物を挟み込んでマスクシートを着用する。企業やプロスポーツチームの宣伝媒体として機能するため、ノベルティグッズなどとして活用できる。
【００７３】
また、印刷物はマスクシートの間から取り外し容易であるため、気分やＴＰＯに応じてマスクシートを着せ替えることができるのである。
【００７４】
本発明は上述の実施形態に限定されることなく、本願の趣旨を逸脱しない範囲において種々の異なる形態に応用・変更、変形することが可能である。
【産業上の利用可能性】
【００７５】
医療現場、食品製造ライン、接客、通勤通学等、日常生活のあらゆる場面での飛沫感染防止対策として利用できるのである。
【符号の説明】
【００７６】
１、７、２５、２８、３５、マスクシート
１ａ、２８ａ、マスクシート前面部
１ｂ、２８ｂ、マスクシート脚部
２、８、３２、中央折線
３、側面折線
４、係止部折線
５、６、２９、３０、３７、貫通孔
２６、２７、３６、スリット
１６、２３、２４、装着フレーム
３３、３４、逆Ｖ字状折線
【図１】
2022003172.tif 000003
【図２】
2022003172.tif 000004
【図３】
2022003172.tif 000005
【図４】
2022003172.tif 000006
【図５】
2022003172.tif 000007
【図６】
2022003172.tif 000008
【図７】
2022003172.tif 000009
【図８】
2022003172.tif 000010
【図９】
2022003172.tif 000011
【図１０】
2022003172.tif 000012
【図１１】
2022003172.tif 000013
【図１２】
2022003172.tif 000014
【図１３】
2022003172.tif 000015
【図１４】
2022003172.tif 000016
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
少なくとも口及び鼻を覆う前面部と、縦方向の側面折線を介して前面部に延設された顔の側面を覆う脚部を有するマスクシートであって、
前面部中央に縦方向の中央折線と、
脚部両端の左右対称の位置に、マスクシート装着フレームへの係止手段を複数有し、
当該係止手段の間に縦方向の係止部折線を有するマスクシート。
【請求項２】
係止手段が、係止孔または切り込みまたはこれらの組み合わせである、請求項１記載のマスクシート。
【請求項３】
少なくとも口及び鼻を覆う前面部と、縦方向の側面折線を介して前面部に延設された顔の側面を覆う脚部を有するマスクシートであって、
前面部中央に縦方向の中央折線と、
脚部両端の左右対称の位置に、マスクシート装着フレームへの係止手段と、
マスクシート装着フレームを挿通すると共に、マスクシートの上下方向の移動を可能にする、波状スリットからなる保持手段を有し、
係止手段と保持手段の間に縦方向の係止部折線を有するマスクシート。
【請求項４】
係止手段が、切り欠きを有し、一部が破断線からなる係止孔である請求項１から３のいずれか１項に記載のマスクシート。
【請求項５】
前面部中央折線から逆Ｖ字状に折線を形成した請求項１から４のいずれか１項に記載のマスクシート
【請求項６】
中央折線下方から左右の側面折線方向にV字状の折線を形成し、マスクシート前面部下方を顔面側に折り込むことができる、請求項１から５のいずれか１項に記載のマスクシート。
【請求項７】
マスクシートが紙製、プラスチック製、不織布製、またはこれら素材の組み合わせからなる、請求項１から６のいずれか１項に記載のマスクシート。
【請求項８】
マスクシートが二重の透明プラスチック製である請求項１から６のいずれか１項に記載のマスクシート。
【請求項９】
請求項１から８のいずれか１項に記載のマスクシートと、
少なくとも鼻掛けが形成されたフレーム前面部とフレーム前面部に連設されたフレーム脚部からなる装着フレームとからなる顔面保護具。
【手続補正２】
【補正対象書類名】明細書
【補正対象項目名】００１６
【補正方法】変更
【補正の内容】
【００１６】
上記課題を解決するために、本願の請求項１では、少なくとも口及び鼻を覆う前面部と、側面折線を介して前面部に延設された顔の側面を覆う脚部を有するマスクシートを作成し、前面部中央に縦方向の中央折線と脚部両端の左右対称の位置に、マスクシート装着フレームへの複数の係止手段を設け、これらの係止手段の間に縦方向の係止部折線を形成するのである。また、請求項２では、マスクシート装着フレームへの係止手段として、脚部両端に係止孔または切り欠きを形成するのである。
【手続補正３】
【補正対象書類名】明細書
【補正対象項目名】００１７
【補正方法】変更
【補正の内容】
【００１７】
請求項３では、少なくとも口及び鼻を覆う前面部と、縦方向の側面折線を介して前面部に延設された顔の側面を覆う脚部を有するマスクシートを作成し、前面部中央に縦方向の中央折線と、脚部両端の左右対称の位置に、マスクシート装着フレームへの係止手段と、マスクシート装着フレームを挿通すると共に、マスクシートの上下方向の移動を可能にする、波状スリットからなる保持手段を有し、係止手段と保持手段の間に縦方向の係止部折線を形成するのである。
【手続補正４】
【補正対象書類名】明細書
【補正対象項目名】００１８
【補正方法】変更
【補正の内容】
【００１８】
請求項４では、マスクシートに設ける、装着フレームへの係止手段を、切り欠きを有し、一部が破断線からなる係止孔とし、装着フレームが細いときは、係止孔の切り欠き部でフレームを保持し、装着フレームが太いときは、破断線に添って係止孔を大きくして装着フレームの保持を可能とするのである。
【手続補正５】
【補正対象書類名】明細書
【補正対象項目名】００１９
【補正方法】変更
【補正の内容】
【００１９】
請求項５では、前面部中央折線から逆Ｖ字状に折線を形成する。
【手続補正６】
【補正対象書類名】明細書
【補正対象項目名】００２０
【補正方法】変更
【補正の内容】
【００２０】
請求項６では、マスクシートの前面部下方であって中央折線から左右の側面部折線方向に向けてV字状折線を形成し、マスクシート前面部下方を顔面側に折り込んで顎付近を覆うことができるマスクシートとするのである。
【手続補正７】
【補正対象書類名】明細書
【補正対象項目名】００２１
【補正方法】変更
【補正の内容】
【００２１】
請求項７では、マスクシートを紙製、プラスチック製、不織布製、またはこれらの素材の組み合わせとし、請求項８では、マスクシートを二重の透明プラスチック製とし、請求項９では、本願のマスクシートと、少なくとも鼻掛けが形成されたフレーム前面部とフレーム前面部に連設されたフレーム脚部からなる装着フレームとからなる顔面保護具を提供するのである。